(57)【特許請求の範囲】
【請求項１】
泌尿器部、肛門部、膣口部に対してそれぞれ単独もしくは包括的の形態で密着的に装着可能な装着部と、当該装着部に移送通路で連結された吸引ポンプと、当該吸引ポンプにより前記装着部から吸引された体液及び／又は排泄物を貯留する貯留部と、からなり、
前記吸引された体液及び／又は排泄物の、個人ごとの状態を検出する測定センサ部と、この測定センサ部による測定の結果を外部に送信する通信部と、を備えることを特徴とする健康管理システム。
【請求項２】
前記通信部は、前記測定センサ部による測定の結果を処理することによって得られた評価データを受信する受信能をも備えており、システムは更に、前記通信部により受信された評価データを表示する表示部を備えることを特徴とする請求項１に記載の健康管理システム。
【請求項３】
前記吸引ポンプは、当該吸引ポンプの電源としてのバッテリと共に携帯可能な本体内に収納されており、体液及び／又は排泄物が排出されたもしくは排出されることを感知する感知センサによって体液及び／又は排泄物が排出されたこともしくは排出されることを感知して吸引を開始することを特徴とする請求項１または２いずれか記載の健康管理システム。
【請求項４】
前記装着部と前記吸引部とを連結する移送通路はフレキシブルチューブで構成されていることを特徴とする請求項１から３いずれか記載の健康管理システム。
【請求項５】
前記本体に対してはカートリッジ式貯留部が着脱自在に設けてなることを特徴とする請求項１から４いずれか記載の健康管理システム。
【請求項６】
前記測定センサ部によって測定される項目及び／又は測定の目安となる基準値や許容値及び／又は前記表示部に表示される表示内容は、使用者が自由に設定することができることを特徴とする請求項１から５いずれか記載の健康管理システム。
【請求項７】
前記通信部は、当該通信部の位置情報を自己認識する機能を備えており、且つ、この自己認識した位置情報を外部に発信することを特徴とする請求項１から６いずれか記載の健康管理システム。
【請求項８】
前記通信部は、前記測定部による測定の結果に応じて前記位置情報を外部に送信することを特徴とする請求項７記載の健康管理システム。
【請求項９】
前記貯留部は、水解性又は／及び生分解性素材からなることを特徴とする請求項１から８に記載の健康管理システム。
【請求項１０】
請求項１から９に記載の健康管理システムに接続されるサーバであって、当該サーバ内には、前記通信部を介して受信した前記測定部による測定の結果を継続的に記憶する記憶部と、その記憶部に継続的に記憶された過去の測定結果と新たに受信した測定結果との比較を行う比較部とを備え、当該比較部による比較結果に基づいて分析部を生成し、前記通信部に対して前記分析結果を送信可能に構成してなることを特徴とする健康管理システムに接続可能なサーバ。
【請求項１１】
前記サーバ内はタイマー手段を具備するとともに、外部の医療機関又は介護人などの所有する監視サーバに対して、前記分析結果を定期的にデータとして送信することを特徴とする請求項１０に記載の健康管理システムに接続可能なサーバ。
【発明の詳細な説明】
【０００１】
【発明の属する技術分野】
本発明は、体液や排泄物を利用した健康管理システム並びに体液や排泄物の処理方法に関する。
【０００２】
【従来の技術】
従来より、起き上がることが困難な寝たきりの老人など、自力でトイレに行くのが困難な者の、経血等の体液や便、尿等の排泄物の処理を行うものとしては、オムツのような吸収性物品が知られており、介護用用品として広く使用されている。
【０００３】
しかし、オムツなどの吸収性物品は、基本的には体液等が排出された場所にそのまま保持されるものであり、臭いの発生や菌の繁殖等による人体への悪影響を防止したり、取替え時の介護者の体液等への接触の回避や取り扱いの不便さの低減などを実現するために多大なる努力が払われている。また、使用時間や使用期間が長い場合に備えて、いわゆるおむつカブレや床ズレの併発を回避するための努力も払われている。加えて、オムツ等の吸収物品については、使用後に膨潤した吸収物品による環境負荷を低減するために様々な努力がなされている。
【０００４】
【発明が解決しようとする課題】
ここで、体液や排泄物はその処理が問題となり、介護者にとっては非常に厄介なものである反面、医者にとっては、健康状態を知る上で極めて有益なバロメーターともなり得るものである。この場合において、オムツなどでこれらの処理がなされる場合には、通常は単に廃棄処理がなされるだけであるから、そこから有益な情報が得られるというものではない。
【０００５】
このようなことから、排泄物を利用してその人の健康状態を管理するために、トイレ装置に尿分析装置等の健康情報測定装置を設けることが、特開平１１−１３６３９１号公報において開示されており、商品名「ウェルユー」として実用化されている。しかし、トイレ装置を利用して健康管理を行う場合には、移動困難な高齢者や病人に対して適用することは実際には困難である。
【０００６】
しかも、トイレ装置は不特定多数の人間が使用するのが通常であることから、履歴的なデータに基づいて個人の健康管理を行うことは事実上不可能である。即ち、個人的な健康管理は対象者に対してＩＤコードなどの入力を行わしめ、その後に排便や排尿を行い測定をすることによって実現できるかもしれないが、かかる入力作業は、特に病人や高齢者などには負担が大きいため、結局はあまり利用されないというのが現実である。
【０００７】
本発明は、以上のような課題に鑑みてなされたものであり、その第１の目的は、人間が排出する経血等の体液や便、尿等の排泄物から検知したデータを利用して、個人ごとの健康管理を可能ならしめる健康管理システムを提供することにある。
【０００８】
また、本発明の第２の目的は、上記第１の目的を達成しつつも、体液等のモレや体液等との接触を回避しながらにして、体液等の処理についての効果的な処理を行うことができるようにすることである。
【０００９】
【課題を解決するための手段】
上記のような課題を解決するために、本発明においては、まず体液等の吸引部と貯留部とを分離し、体液等を局部密着構造の吸引装置で吸引してこれを移送用チューブ等に内臓された測定センサで測定し、この測定結果に基づいた分析結果を、通信網を通じて特定の管理センターに配信してそこで集中管理を行うようにしたことを特徴とする。また、本発明においては、吸引した体液等は取り外し可能な貯留袋に貯留するようにし、適宜廃棄することができるようにしたことをも特徴とする。
【００１０】
より具体的には、この発明では以下のようなものを提供する。
【００１１】
（１）  泌尿器部、肛門部、膣口部等に対してそれぞれ単独もしくは包括的の形態で密着的に装着可能な装着部と、当該装着部に移送通路で連結された吸引ポンプと、当該吸引ポンプにより前記装着部から吸引された経血等の体液及び／又は便、尿等の排泄物を貯留する貯留部と、からなり、  前記吸引された経血等の体液及び／又は便、尿等の排泄物の状態を検出する測定センサ部と、この測定センサ部による測定の結果を外部に送信する通信部と、を備えることを特徴とする健康管理システム。
【００１２】
上記のような（１）の発明によれば、通常廃棄されていた体液等を吸引し、内蔵された測定センサによって所定の項目について測定をするため、体液等に内包された有益なデータを取り出し、これをホストコンピュータ（以下、サーバという）や当該サーバを介してその使用者の介護人又は主治医或いは病院に送信し、継続的に測定結果を蓄積して健康状態を分析するなどの健康管理に役立てることができるようになる。また、健康状態を分析したグラフ化や適切な処置方法を表示することなどにより、使用者と医師との双方向の意思疎通を図ることも可能となる。
【００１３】
また、様々な健康管理に係わる比較基礎データを蓄積し、前記通信手段を介して送信した測定結果に対する分析結果をサーバから適宜受信可能な健康管理システムを提供することができる。これによってサーバ内に個人データが随時蓄積されることにより、着用者の健康状態の変化を継続的かつリアルタイムに解析することができるようになる。また、異常値が検出された場合には、本人及び主治医（病院）に連絡が行われ、迅速かつ適切な処置を促すこともできるようになる。
【００１４】
更に、着用者が、自宅のＰＣ（パーソナルコンピュータ）や携帯電話により、自分の健康状態の変化をモニターできるように構成することにより、着用者自身が自己管理によって健康に留意するようになることも期待でき、いわば健康についてのセルフコントロールシステムとして活用することも可能となる。この場合においては、前記ＰＣ内に、前記測定センサから得られたデータに基づいて様々な健康上のアドバイスを行うことが可能なソフトを内蔵させ、前記ＰＣにホームドクター機能を担わせるように構成することもできる。このようにすれば、自宅のＰＣを通じて、自分の健康に関する生活上の適切なアドバイスが簡易に受けられることになる。
【００１５】
本明細書における「通信部」は、インターネット等の広域通信ネットワークと接続可能なものの他、ローカルネットワークと接続可能なものでもよく、有線又は無線による接続のもののいずれも採用することができる。なお、送信端末として無線方式の発信器を採用した場合には、当該発信器がペースメーカー等の医療機器に影響を与えないものを採用することが好ましい。
【００１６】
本明細書における「測定センサ」は、所定の項目について測定をし、分析をするものであれば如何なるものでもよいが、例えば特開平９−２１７７９号公報にて開示されているような尿の特定成分の濃度に対応した出力を示すセンサ等を使用することができる。そして更に、特開平９−２１７７９号公報にて開示されているものと同様に、センサからの尿の特定成分の濃度に対応した出力を受け、その特定成分濃度を演算出力して処理・制御をする機構を備えさせるようにしてもよい。
【００１７】
前記「所定の項目」とは、例えば、▲１▼尿糖、▲２▼蛋白、▲３▼潜血、▲４▼血圧、▲５▼脈拍▲６▼体温などであり、健康管理に有用な項目であれば任意に選択することができる。なお、前記▲１▼から▲６▼の項目を測定可能なセンサを採用した場合には、以下に示すような徴候又は指標を使用者が知ることが可能となる。
【００１８】
すなわち、▲１▼「尿糖」により高血糖性糖尿、糖排泄陽値低下の原因による疾患徴候を、▲２▼「尿蛋白」により腎前性、腎性あるいは腎後性の疾患徴候を、▲３▼「潜血」により腎前性、腎性又は腎後性の疾患徴候を、知ることができ、また、▲４▼「血圧」により循環系機能の状態を、▲５▼「脈拍」により循環器疾患及び生命徴候の１つとして全身状態を示す指標を、▲６▼「体温」により生命活動の重点指標を知ることができる。
【００１９】
本明細書における「装着部」には、男性用と女性用といった性別や、子供用や大人用のようなサイズ別、尿糖、潜血用、便用のような用途などに応じ、適宜好適な形状及び寸法を選択することができる。特に、経血用として使用する場合には、陰唇間に挟む形状を採用するが望ましい。なお、着用者に応じて装着部を変更することができるようにするため、装着部は着脱自在に取り替え可能とすることもできる。
【００２０】
また、本発明によれば、装着部は泌尿器部や肛門部、膣口部に密着的に装着されるが、装着部に接続された吸引ポンプにより迅速かつ積極的に体液等が吸引されることとなる。このため、排出の際に着用者の肌と体液等とが接する部分や時間が少なくなり、体液等によるカブレなどが生じにくくなるので、快適に過ごすことができるようになる。
【００２１】
本発明において使用する「吸引ポンプ」としては、体液等を吸引できる能力を有しているものであれば如何なるものも採用することができるが、可能な限り小さな超小型ポンプを使用することが好ましい。また、ポンプの種類としては、例えば、公知の容積ポンプに分類される往復ポンプ，ロータリポンプ，チューブポンプなどを適宜採用することができる。更に、前記吸引ポンプには、後の分析に支障が無いよう、温度変化が小さくて気泡が入り難いものが望ましい。
【００２２】
なお、前記健康管理システムから送信される測定結果のデータは、個人情報の流出を防止するために、暗号化などのセキュリテイ処理を施すことが望ましい。
【００２３】
（２）  前記通信部は、前記測定センサ部による測定の結果を処理することによって得られた評価データを受信する受信能をも備えており、システムは更に、前記通信部により受信された評価データを表示する表示部を備えることを特徴とする（１）に記載の健康管理システム。
【００２４】
このような（２）の発明に従って健康管理システムに小型軽量の液晶ディスプレイなどの表示部を設け、測定された数値を表示させるようにすることにより、使用者にその場ですぐに現在の健康状態を把握させるようにすることができるため、特に健康状態に心配がある使用者にとっては好適である。
【００２５】
（３）  前記吸引ポンプは、当該吸引ポンプの電源としてのバッテリと共に携帯可能な本体内に収納されており、経血等の体液及び／又は便、尿等の排泄物が排出されたもしくは排出されることを感知する感知センサによって経血等の体液及び／又は便、尿等の排泄物が排出されたこともしくは排出されることを感知して吸引を開始することを特徴とする（１）または（２）いずれか記載の健康管理システム。
【００２６】
このような（３）の発明においては、感知センサによって体液等が排出されたことが感知されることによって、自動的に体液等の吸引がなされることになる。このため、装着者が体液等と接することなく、またモレの虞も低減することができる。これにより、吸引スイッチを使用者が入力する場合と比較して、吸引タイミングを誤る等の問題が生じなくなり、着用者は安心して体液等を排出をすることが可能となる。
【００２７】
なお、本発明において採用される「感知センサ」としては、その最も簡単なものとしては、一対の電極を前記装着部に設けたものを基本構成とし、前記電極に体液が接触することによって生じる短絡電圧・電流を拾うことによって検出を行うセンサなどを適宜採用することができる。また、上記のような（３）の発明においては、更に、感知センサにより体液等が検出されなくなると自動的に吸引ポンプが停止するように構成するのがより好ましい。
【００２８】
加えて、上記の（３）の発明によれば、吸引ポンプの電源としてのバッテリを携帯可能な前記本体内に内蔵させる構成を採用していることから、前記装着部及チューブなどの通信通路を巻き取るなどすることにより、前記本体を使用者が携帯するようにすることができる。これにより、使用者が常時健康管理を行えるような環境を提供することができるとともに、所謂携帯トイレとしての使用も可能となる。特に、前記吸引ポンプに超小型ポンプを採用して測定センサを設けた状態でも、前記超小型ポンプ、バッテリ及び測定センサとを併せて、携帯電話機と同等の寸法・重量であることが、装着及び携帯の為には好ましい。
【００２９】
なお、前記バッテリとしては、鉛蓄電池などの様々なバッテリを採用することができるが、この健康管理システムを携帯可能とするという観点からすれば、携帯携帯電話等に使用されているような超小型のリチウム電池のように、少なくとも１日分の電力を保持・供給し得る充電可能な電池が好ましく、場合によっては燃料電池を採用することも可能である。
【００３０】
（４）  前記装着部と前記吸引部とを連結する移送通路はフレキシブルチューブで構成されていることを特徴とする（１）から（３）いずれか記載の健康管理システム。
【００３１】
本発明によれば、移送通路には柔軟なフレキシブルチューブが採用されているため、液体や流体物等様々な形状のものを移送することができ、しかも、吸引による負圧や体圧等で管路がつぶれることがない。なお、前記フレキシブルチューブはその用途に応じ、太さを調節することも可能である。
【００３２】
（５）  前記本体に対してはカートリッジ式貯留部が着脱自在に設けてなることを特徴とする（１）から（４）いずれか記載の健康管理システム。
【００３３】
本発明においては、人体の肌に接触する装着部と、吸引した体液等を保持する貯留部とを分離し、且つ前記貯留部を分離交換可能なカートリッジ式としていることから、前記カートリッジを略密閉構造に近い構成とすることが容易となる。このため、貯留体液等による臭いの拡散が低減された状態で、必要に応じて貯留部を交換することができる。また、上述のような医療機関等の所有するサーバに蓄積されたデータ以外のデータが必要な場合や、体液等事体の検査が必要なときなどには、使用済みの貯留部を医療機関に持っていって検査を行うようにすることもできる。
【００３４】
なお、貯留袋の吸引容量は、健康管理システムで処理する対象が経血等の体液や便、尿等の排泄物のいずれに対するものであるかに応じて選択されるものであり、単一の種類のものだけでなく、複数タイプのものや併設タイプのもの、多目的タイプのものを適宜選択して使用することもできる。
【００３５】
（６）  前記測定センサ部によって測定される項目及び／又は測定の目安となる基準値や許容値及び／又は前記表示部に表示される表示内容は、医師等の指示に基づいて使用者が自由に設定することができることを特徴とする（１）から（５）いずれか記載の健康システム。
【００３６】
上記（６）の発明によれば、着用者の疾病に応じて測定項目を選択したり、年齢などに応じて基準値を設定したりすることができるため、個々人の健康管理に対応した測定結果を入手することができる。これにより、個々人にとっての健康管理により有用なデータを入手することができる。
【００３７】
（７）  前記通信部は、当該通信部の位置情報を自己認識する機能を備えており、且つ、この自己認識した位置情報を外部に発信することを特徴とする（１）から（６）いずれか記載の健康管理システム。
【００３８】
上記（７）の発明においては、通信部に対して位置情報を外部に発信する機能（例えばＧＰＳ機能）を設えているため、単なる電波発信や住所探索の場合に比べて、着用者が現在居る場所を的確かつ速やかに探知することができるようになる。このような効果は、例えば痴呆により徘徊してしまう者に対しては、特に有効である。
【００３９】
（８）  前記通信部は、前記測定部による測定の結果に応じて前記位置情報を外部に送信することを特徴とする（７）記載の健康管理システム。
【００４０】
上記（８）の発明においては、測定結果により体調が異変をきたした場合や、特に測定データが入手できない等など緊急の場合には、発信されている位置情報を基にして、救急車の手配等を迅速に行うことができる。
【００４１】
これに関し、上記（８）の発明によれば、特に夜中など、介護者が監視するのが非常に困難な時間帯においても、定期的に測定を行うことを併用することによって、介護者の負担を軽減することが可能となる。
【００４２】
（９）  泌尿器部、肛門部、膣口部等から移送通路を介して吸引ポンプにより経血等の体液及び／又は便、尿等の排泄物を吸引し移送して貯留する健康管理システムに使用するための経血等の体液及び／又は便、尿等の排泄物貯留部であって、当該経血等の体液及び／又は便、尿等の排泄物貯留部は吸引ポンプに対して分離交換可能に構成することを特徴する健康管理システムで使用可能な経血等の体液及び／又は便、尿等の排泄物貯留部。
【００４３】
上記（９）の発明によれば、健康管理システムによって密閉系とすることで吸引された体液等を長時間放置していても異臭が発生する可能性を著しく低減することができ、オムツ等の吸収体製品の交換の際に必要な装着作業をすることもなく、簡易迅速に新旧の交換を行うことが可能となる。このように体液等を貯留する部分を交換可能とすることは、寝たきりの老人などを介護する者にとっても、体液等の付着のおそれが低減できる等のことが実現されることとなるため、非常に有用である。
【００４４】
また、交換可能な貯留部には、液体を吸収する吸収性物品を採用することも可能であるが、好ましくは、初期段階でフイルム状の形態を呈し、前記吸引ポンプの吸引により前記抗菌袋内に前記体液が保持されるとその吸引量に応じて膨らんで体液を保持するような抗菌袋を採用することが、吸収ということ自体が無くなる為に、使用資源量が基本的に処理袋のみにまで大幅に低減され、また、後処理の環境負荷も低減できるといった点から好ましい。
【００４５】
（１０）  前記経血等の体液及び／又は便、尿等の排泄物貯留部は水解性又は／及び生分解性素材からなることを特徴とする（９）に記載の経血等の体液及び／又は便、尿等の排泄物貯留部。
【００４６】
上記の（１０）の発明によれば、貯留部の材質は、水解性・生分解性のものであるため、適宜トイレに流したり、生ごみとして廃棄することができるため、体液や排泄物の処理の煩わしさが改善されるとともに環境への影響も軽減することができる。
【００４７】
（１１）  （１）から（８）に記載の健康管理システムに接続可能なサーバであって、当該サーバ内には、前記通信部を介して受信した前記測定部による測定の結果を継続的に記憶する記憶部と、その記憶部に継続的に記憶された過去の測定結果と新たに受信した測定結果との比較を行う比較部とを備え、当該比較部による比較結果に基づいて分析部を生成し、前記通信部に対して前記分析結果を送信可能に構成してなることを特徴とする健康管理システムに接続可能なサーバ。
【００４８】
上記の（１１）の発明によれば、（１）から（７）の健康管理システムと接続して、当該健康管理システムで測定した測定結果に基づいた分析結果を使用者に提供することができる。分析結果を使用者に提供する形態としては、単に数値的な表示とすることはもちろんのこと、グラフや人物等のキャラクタ画像を用いて視覚的に分析結果を使用者に報告するようにすることもできる。
【００４９】
（１２）  前記サーバ内はタイマー手段を具備するとともに、外部の医療機関又は介護人などの所有する監視サーバに対して、前記分析結果を定期的にデータとして送信することを特徴とする（１１）に記載の健康管理システムに接続可能なサーバ。
【００５０】
上記の（１２）の発明によれば、タイマー手段によって一定間隔で使用者の分析結果が監視サーバに送信されることになるから、予定された時間に分析結果が送信されなかった場合の異常についても監視サーバ側で判定することが可能となる。
【００５１】
本明細書において「着用者」とは、実際に本発明に係る装着部を装着する者であり、「使用者」とは前記着用者の他、介護者や医者等本発明に係る健康管理システムを利用する全ての者をいう。
【００５２】
【発明の実施の形態】
以下、図１から図４に基づいてこの発明を適用した健康管理システムの一実施の形態について説明する。
【００５３】
本実施形態の健康管理システムは、図１に示すように、本体１と、その一端側が連結され、他端側には体液や排泄物を排出する人体Ａの泌尿器部、肛門部又は膣口部に密着的に装着可能なカップ状の装着部１０に連結されたフレキシブルなチューブ１１と、本体１に対して着脱自在に交換可能な体液を保持するカートリッジ式貯留部１２と、を主な構成としている。
【００５４】
本体１は、図示しないベルト又はマジックテープ（登録商標）などの手段により、人体Ａに対して着脱自在に構成され、本体１内には、装着部１０と、当該装着部１０と移送通路としての前記チューブ１１で連結された吸引ポンプ２と、当該吸引ポンプ２及び後述する通信手段としての発信器３との電源として使用されるバッテリ４と、体液等から予め定められた項目の測定を行い、その測定結果を出力する測定センサ５を内蔵している。
【００５５】
また、発信器３は、測定センサ５の測定結果をインターネット等の通信網を介して後述する外部のサーバ１５，１６に送信する送信機能と、人工衛星等を利用して本体１の位置情報を送信可能なＧＰＳ機能を有する。ＧＰＳ機能は、最近では携帯電話機（例えばＰＨＳ）などに標準装備されたものも多数存在し、これらと同様のＧＰＳ構成を採用している。
【００５６】
装着部１０は、人体Ａの皮膚に密着する密着材１０Ａと、ロート状のカップ具１０Ｂ及び排尿感知センサ１０Ｃとから構成されており、擦過等による物理的障害を減少した合成ゴム素材等からなる通気性密着材１０Ａを人体Ａの肌に密着させた状態で放尿されると、センサ１０Ｃにより排尿を感知し、当該排尿感知センサ１０Ｃからの感知信号により前記吸引ポンプ２が作動して尿が移送通路としてのチューブ１１を介し前記本体１を通じて体液保持部１２まで移送して貯留される。そして、前記測定センサ５は、前記貯留部１２までの移送過程で所定の項目の測定を行い、その測定結果を前記発信器３に送信する。送信された前記測定結果は、発信器３によって、図２に示すように、外部のデータ蓄積／解析サーバ１５又は病院や介護人の所有する監視用サーバ１６に送信される。
【００５７】
送信された測定結果は、サーバ１５又は１６によって分析され、その本体１の装着者や当該装着者の介護者や主治医などの使用者が予めサーバ１５又は１６に指定した携帯電話、携帯パソコン又は常設型のパソコン等の受信端末１７で受信される。
【００５８】
なお、上述したように、本体１はベルト又はマジックテープ（登録商標）などの手段により人体又は着衣に直接装着できるようにしているが、これに限らず、就寝時等で基本的に動きの無い場合又は、乳幼児等で装着し難い場合には、本体及び貯留袋を人体Ａから離して使用することも可能である。また、寝たきりの高齢者や病人用に使用する場合には、ベッド（寝床）に前記本体１を着脱自在に構成するか、或いは、前記ベッドに前記本体１を常設するように構成することもできる。
【００５９】
また、本体１には、発信器３に接続されてその送信する測定結果を外部に送信するとともに、その測定結果を表示可能な液晶等の表示部を設けている。この表示部により使用者は測定結果の数値等を確認することができる。
【００６０】
本実施例の健康管理システムにおいては吸引ポンプ２に超小型ポンプを採用しており、これが本体１内に内蔵されており、測定センサ５、発信器３、バッテリ４、操作部及び表示部もコンパクトに携帯電話サイズにまとめられている。
【００６１】
測定センサ５は、吸引ポンプ２を循環した体液等の中で、測定に必要な量を採取し、その性質について健康管理に利用できる項目を測定する。そして、この測定センサ５は、ダイヤモンド電極のようにもともと汚れにくい検出部を備えているか、或いは、図示しないが、測定後に次回の測定に備えて洗浄機能を有している。このような自動洗浄システムは、装着部１０に設けた排尿等感知センサ１０Ｃの感知によって吸引ポンプ２を作動させ、体液等の検知解除信号を受けて吸引ポンプ２を停止するのと同期して自動洗浄システムを作動させて測定センサ５を洗浄して、誤測定が発生し難いように配慮している。なお、体液等を病院等で測定する場合には、精度を高めるために貯留部と体液等とを分けてもよい。
【００６２】
測定センサ５の測定項目としては、▲１▼尿糖，▲２▼尿蛋白，▲３▼潜血，▲４▼尿量，▲５▼経血量，▲６▼ｐＨ，▲７▼液化状態のいずれの項目を測定するようなものも採用することが可能である。また、前記測定センサ５を本体１に着脱自在として、様々な測定項目の測定にも対応することができるように構成することもできる。なお、各測定項目が、人体Ａの如何なる臓器の健康管理の目安になるのかを例示したものが図３であり、使用者はこの図３のようなものをデータとして健康管理を行うことができる。
【００６３】
カートリッジ式貯留部１２は、水解性・生分解性の抗菌保持袋で構成されており、その抗菌袋は初期段階でフイルム状の形態を有し、吸引ポンプ２の吸引により抗菌袋内に体液等が保持されると、その吸引量に応じて膨らんで体液等を保持する。トイレに流す等して廃棄した後は、新たな抗保持袋を本体１に取り付け交換し、次の体液等の保持に備えるようにする。なお、体液等の種類に応じて、複数タイプのものを容易しておくことが好ましい。
【００６４】
次に、図２及び図４に基づいて、システム全体イメージ及び当該システムを用いたこの発明の排尿処理システムの利用フロー図に基づいて、この発明の排尿処理システムの利用フローについて説明する。
【００６５】
ステップ１（Ｓ１）  ・・・  まず、使用者は排尿処理システムを使用するために、尿用の装着部を人体Ａの泌尿器部に装着する。
【００６６】
ステップ２（Ｓ２）  ・・・  放尿が開始される。
【００６７】
ステップ３（Ｓ３）  ・・・  排尿感知センサ１０Ｃにより排尿を検知し、吸引ポンプ２に検知信号を送信する。
【００６８】
ステップ４（Ｓ４）  ・・・  排尿感知センサ１０Ｃからの検知信号を吸引ポンプ２が受信すると、当該吸引ポンプ２は吸引を開始する。
【００６９】
ステップ５（Ｓ５）  ・・・  吸引ポンプ２の吸引により装着部１０のカップ具１０Ｂによってチューブ１１の先端開口に集められた尿は、当該チューブ１１を通じて本体１へ移送される。この移送された尿の中から測定に必要な量の体液を測定センサ５がサンプリングする。
【００７０】
ステップ６（Ｓ６）  ・・・  サンプリングした尿を基に、測定センサ５が当該測定センサに応じての測定項目の測定を行う。
【００７１】
ステップ７（Ｓ７）  ・・・  測定センサ５で測定した測定結果を本体１に設けられた液晶表示手段に表示して使用者に告知するとともに、その測定結果をサーバ１５に送信する。
【００７２】
ステップ８（Ｓ８）  ・・・  サーバ１５は、インターネット等の通信回線網Ｂを通じて測定結果を受信するとともに、予め上記測定項目の過去履歴のデータ、又は、測定項目に係わる図３に示すようなデータ及び一般的な上記各測定項目に係わる許容値データ（レンジデータ）等の比較基礎データとを記憶した記憶手段から、適宜に前記過去履歴データ及び比較基礎データとを抽出し、サーバ１５内の比較分析プログラムを含む比較部としての制御手段により分析し比較を行う。比較の結果が正常値の場合は、後述するステップ８に移行し、異常値の場合には、後述するステップＳ１３に移行する。
【００７３】
ステップ９（Ｓ９）  ・・・  上記分析結果が正常値の場合には、その分析結果及び分析の基礎となる測定結果を、サーバ１５内の前記記憶手段の前記過去履歴のデータとして追加記憶する。なお、異常値の場合であっても、データは蓄積され、次のステップへと移行する。
【００７４】
ステップ１０（Ｓ１０）  ・・・  前記分析結果を予め使用者が前記サーバ１５に対して分析結果の連絡先として登録した１つ以上の連絡先１７に通信回線網Ｂを介して送信する。前記連絡先１７としては、自宅のパソコンにＥメイルで送信したり、親族のパソコンや携帯電話に音声又はＥメイルで送信する。
【００７５】
ステップ１１（Ｓ１１）  ・・・  前記測定結果を含む分析結果を送信された連絡先１７としての通信端末では、過去の測定結果及び分析結果との過去履歴のデータと受信した分析結果及び測定結果とにより形成された推移データとにより、前記通信端末に設けられた表示手段により前記推移データの分析結果を表などで表示する。
【００７６】
ステップ１２（Ｓ１２）  ・・・  前記表示された推移データの分析結果について、使用者又は当該使用者が連絡先として指定した通信端末の所有者がこれを見ながら、健康管理を行うとともに、このような定期的な測定を考慮しての診察により、上述したような測定センサ５による測定結果の使用者ごとの前記許容値や異常値を更新して、前記サーバ１５の記憶手段にその使用者の履歴のデータとして更新記憶する。
【００７７】
ステップ１３（Ｓ１３）  ・・・  ステップ８において本人用に設定された許容値を前記測定結果が超えていた場合、予めサーバ１５内に前記過去履歴のデータとして記憶設定された当該使用者ごとに規定された異常値との比較を行う。もし、前記異常値が過去履歴のデータとして存在しない場合には、平均的な人間の一般的な異常値を使用する。前記測定結果が異常値を超えた場合には、後述するステップ１９へ移行し、前記異常値を超えていない場合にはステップ１４へ移行する。
【００７８】
ステップ１４（Ｓ１４）  ・・・  本人の前記許容値を超えてはいるが前記異常値を超えていない場合には、図３に示すような「異常が見られる臓器」などの注意情報を、前記サーバ１５内の記憶手段に予め記憶した複数の注意情報の中から適宜に前記制御手段により注意情報を抽出し、ステップ１０で送信した同様の通信端末１７に発信する。
【００７９】
ステップ１５（Ｓ１５）  ・・・  前記通信端末１７により使用者又は使用者が指定した者に注意情報を通知し、その通知した注意情報に基づいて本人の状況の確認を行う。前記本人の状況確認とは、例えば、オペレータがその本人に直接に電話を行うなどして状況を確認する。
【００８０】
ステップ１６（Ｓ１６）  ・・・  前記本人状況の確認の後、その確認情報と前述した測定結果並びに過去履歴のデータとに基づいて、担当医からのアドバイスを前記通信端末１７に送信する。そして、前記担当医の判断が診察不用である場合には、ステップ１１に移行し、診察用の場合には、後述するステップ１７に移行する。
【００８１】
ステップ１７（Ｓ１７）  ・・・  診察用の判断となった場合には、診察予約を促す情報を前記通信端末１７に送信し、使用者又は使用者が指定した通信端末１７の所有者は診察予約を行う。
【００８２】
ステップ１８（Ｓ１８）  ・・・  前記診察予約に基づいて診察を行う。
【００８３】
ステップ１９（Ｓ１９）  ・・・  前記測定結果が異常値である場合には、異常値であることを通信回線網Ｂを介して前記通信端末１７へ発信する。
【００８４】
ステップ２０（Ｓ２０）  ・・・  次に、ステップ１５と同様に本人の状況確認を行う。その状況確認の結果に応じて、後述するステップ２５に移行して家族への確認を行うか、或いは、後述するステップ２１のように救急車の手配必要性判断を行う。
【００８５】
ステップ２１（Ｓ２１）  ・・・  本人の状況確認をしたにもかかわらず連絡がつかない場合や、心臓に持病を抱える者である場合には、過去履歴のデータから救急車の手配必要性判断を前記サーバ１５を介して病院又は介護人の監視サーバ１６により行う。この判断は、前記監視サーバ１６により使用者の状況を前記病院又は介護人に告知し、前記病院又は介護人の判断により人為的に判断するようにしてもよいが、前記監視サーバ１６又はサーバ１５の予め用意された緊急手配のためのプログラムにより自動的に判断するようにしてもよい。
【００８６】
ステップ２２（Ｓ２２）  ・・・  ステップ１６と同様に各通信端末１７に対して、担当医のアドバイスを通知する。そして、このステップ２２の場合には、緊急の処置が必要となる場合もあるので、その場合には緊急処置の指示も同時に行う。
【００８７】
ステップ２３（Ｓ２３）  ・・・  ステップ１７と同様に診察予約を行う。
【００８８】
ステップ２４（Ｓ２４）  ・・・  ステップ１８と同様に診察を行う。
【００８９】
ステップ２６（Ｓ２６）  ・・・  ステップ２５で家族の確認が取れた場合と、ステップ２１で救急車の手配を必要と判断した場合には、前記発信器３に備わったＧＰＳ等の位置情報データを本体１から受信し、この位置情報データに基づいて通信端末１７又は病院などの監視サーバ１６の表示手段にその位置情報を表示させる。
【００９０】
ステップ２７（Ｓ２７）  ・・・  前記表示手段に表示された位置情報に基づいて救急車の手配を行う。
【００９１】
なお、上記健康管理システムを病人又は寝たきり老人向けに使用する場合には、前記サーバ１５内にタイマー手段を設け、当該タイマー手段によって測定されるある所定の期間内の健康管理システムの利用がない場合には、ステップ１９の異常通報の発信に自動的に移行するようにしている。
【００９２】
そして、監視サーバ１７に対しては、サーバ１５から健康管理システムからの測定結果の受信のあるなしに関わらず、定期的に外部の医療機関又は介護人などの所有する監視サーバ１７に対して、前記分析結果又は分液結果のあるなしを定期的にデータとして送信するようにしている。従って、サーバ１５で異常が検知されなかった場合でも、監視サーバ１７により２次的にチェックすることが可能となるのである。
【００９３】
【発明の効果】
以上説明したように、本発明に係る健康管理システムによれば、体液や排泄物から検知したデータを利用することにより、体調の変化や異常を早期に発見し個人ごとの健康管理が可能となる。
【００９４】
吸引方式を採用し、且つ、体液等の貯留部と前記吸引部とを分離してそいることに加え、体液等を分離可能なカートリッジ式の貯留部に貯留することから、体液等のモレや体液等との接触を回避しながら、簡易に体液等の処理を行うことができる。
【図面の簡単な説明】
【図１】  この発明を適用した一実施の形態としての健康管理システムを示す図である。
【図２】  図１の健康管理システムとインターネット等の通信回線網とを融合させたシステム全体図である。
【図３】  健康管理システムにおける測定項目で判明する臓器異常の例示図である。
【図４】  図２のシステムを利用した排尿システムの利用フロー図である。
【符号の説明】
１    本体
２    吸引ポンプ、
３    発信器
４    バッテリ
５    測定センサ
１０  装着部
１１  チューブ（移送通路）
１２  貯留部
【図１】
0003718136.tif 000002
【図２】
0003718136.tif 000003
【図３】
0003718136.tif 000004
【図４】
0003718136.tif 000005